(57)【要約】【課題】  省電力化を図ることができるデジタル複合機を提供する。【解決手段】  省電力時は、スキャナ部２、プロッタ部３、拡張機能制御部１０〜１２への通電を遮断するデジタル複合機において、公衆回線及びネットワークとの接続を検知する回線／ネットワーク接続検知部５、７と、復帰要因として回線／ネットワーク接続検知部５、７の接続状況を検知する復帰要因検知部４、６、８と、復帰要因検知部４、６、８の電力をＯＮ／ＯＦＦ制御すると共に、復帰要因検知部４、６、８からの復帰要因信号に基づいて電力をＯＮ／ＯＦＦ制御を行うメイン制御部１３とを備えるようにした。【選択図】  図１
2007036956.tif 000002
【特許請求の範囲】
【請求項１】
省電力時に、少なくとも、スキャナ部、プロッタ部、拡張機能制御部への通電を遮断することができるデジタル複合機において、公衆回線及びネットワークとの接続を検知する回線／ネットワーク接続検知部と、復帰要因として前記回線／ネットワーク接続検知部の接続状況を検知する復帰要因検知部と、前記復帰要因検知部の電力をＯＮ／ＯＦＦ制御すると共に、前記復帰要因検知部からの復帰要因信号に基づいて電力をＯＮ／ＯＦＦ制御を行うメイン制御部と、を備えたことを特徴とするデジタル複合機。
【請求項２】
請求項１記載のデジタル複合機において、前記復帰要因検知部に電力を供給する電力供給時間帯を設定し、前記メイン制御部は電力供給時間帯において制御動作を行うことを特徴とするデジタル複合機。
【請求項３】
請求項２記載のデジタル複合機において、前記電力供給時間帯を入力する操作部を備えたことを特徴とするデジタル複合機。
【発明の詳細な説明】
【技術分野】
【０００１】
本発明は、コピー機能、ファクシミリ機能、プリンタ機能などを併せ持つデジタル複合機に関し、特に省エネ技術に特徴のあるデジタル複合機に関する。
【背景技術】
【０００２】
複写機のデジタル化によって本来のコピー機能のほかにコピーのリソース（スキャナや電子写真プロッタ）を使い、通信機能を組み合わせてファクシミリ機能やプリンタ機能を併せ持つデジタル複合機が登場してきた。ファクシミリ機能は、機器が省電力状態においても着信を監視し、機器を復帰させるため回線通信部などの一部回路を通電している。また、プリンタ機能においては、プリント要求で機器を復帰させるためＩ／Ｆ回路などの一部回路を通電している。
【発明の開示】
【発明が解決しようとする課題】
【０００３】
しかしながら、機器が回線・ネットワークに繋がれていない時や、回線・ネットワークの不通時において前述の復帰監視回路の通電により無駄な電力を消費することになる。
そこで、本発明は上記したような問題を解決するためになされたものであり、省電力化を図ることができるデジタル複合機を提供することを目的する。
【課題を解決するための手段】
【０００４】
上記目的を達成するために、請求項１記載の発明は、省電力時に、少なくとも、スキャナ部、プロッタ部、拡張機能制御部への通電を遮断することができるデジタル複合機において、公衆回線及びネットワークとの接続を検知する回線／ネットワーク接続検知部と、復帰要因として前記回線／ネットワーク接続検知部の接続状況を検知する復帰要因検知部と、前記復帰要因検知部の電力をＯＮ／ＯＦＦ制御すると共に、前記復帰要因検知部からの復帰要因信号に基づいて電力をＯＮ／ＯＦＦ制御を行うメイン制御部と、を備えたことを特徴とする。
請求項２記載の発明は、請求項１記載のデジタル複合機において、前記復帰要因検知部に電力を供給する電力供給時間帯を設定し、前記メイン制御部は電力供給時間帯において制御動作を行うことを特徴とする。
請求項３記載の発明は、請求項２記載のデジタル複合機において、前記電力供給時間帯を入力する操作部を備えたことを特徴とする。
【発明の効果】
【０００５】
本発明によれば、メイン制御部において復帰要因検知部の電力をＯＮ／ＯＦＦ制御すると共に、前記復帰要因検知部からの復帰要因信号に基づいて電力をＯＮ／ＯＦＦ制御を行うことで、回線またはネットワークが接続されていない場合は、復帰要因検知部も電源供給を遮断することで省エネ効率を高めることができる。
【発明を実施するための最良の形態】
【０００６】
以下、本発明の実施形態を図面に従って説明する。
図１は本発明の実施形態に係るデジタル複合機のブロック図である。
この図１において、操作部１は、操作キー及び表示素子で構成される。この操作部１によりオペレータは動作モードの指定やデータの入力を行うことができる。さらに本実施形態ではオペレータの押下操作により機器を省電力状態に移行させるためと、省電力状態から復帰させるためのキーである節電キー１−１を備えている。
スキャナ部２は、光源、ＣＣＤ等の固体撮像素子及びメカ機構駆動モータ、センサ等で構成される。プロッタ部３は、電子写真方式を採用しており、電子写真プロセス負荷、紙搬送モータ、感光体駆動モータ、紙検知センサ、クラッチなどのプロッタ負荷で構成される。
ファクシミリ受信検知部４は復帰要因検知部の一つである。機器が省電力状態であり回路に電力が供給されている時は、ファクシミリ受信時に復帰要因信号１を後述するメイン制御部１３に送る。
公衆回線検知部５は、トーン音を検出することで機器が回線に正常接続しているかどうかを検知し、メイン制御部１３に検知結果を知らせる。プリント要求検知部６は復帰要因検知部の一つである。機器が省電力状態であり回路に電力が供給されている時は、プリント要求の受信時にプリント要求による復帰要因信号２をメイン制御部１３に送る。
ＬＡＮ検知部７は、ネットワーク上にパケットデータが流れているかどうかを検出することで、機器がローカルネットワークに正常接続しているかどうかを検知し、メイン制御部１３に検知結果を知らせる。圧板開閉検知部８は、復帰要因検知部の一つである。機器が省電力状態で回路に電力が供給されているときは圧板開閉時に復帰要因信号３をメイン制御部１３に送る。
また、前述のファクシミリ受信検知部４、プリント要求検知部６及び圧板開閉検知部８は、電源が供給されていないと復帰要因信号をメイン制御部１３に送らない仕組みになっている。
【０００７】
上記のユニットの他、本実施形態のデジタル複合機は、ＰＳＵ９、拡張機能制御部としてのコピー制御部１０、ファクシミリ制御部１１、プリンタ制御部１２を備える。これらのユニットはメイン制御部１３に接続される。
メイン制御部１３は操作部１、スキャナ部２、プロッタ部３の動作を制御する。さらに機能拡張制御部と協調し、複合機全体の制御を行う。メイン制御部１３はＯＦＦ信号（０〜３）を通じて、第１遮断機１４ａ、第２遮断機１４ｂ、第３遮断機１４ｃ、第４遮断機１４ｄをＯＦＦできる構成となっている。
本実施形態では省電力時に電力供給をＯＦＦするユニット（スキャナ部２、プロッタ部３、機能拡張制御部）と、省電力時の復帰要因を検知する復帰要因検知部別に遮断機１４が設けられており、これらを制御することで機器は省電力状態となる。但し、メイン制御部１３には省電力状態であっても電力が供給される構成となっているので、省電力状態からの復帰要因を監視できる。メイン制御部１３の詳細は図２を用いて後述する。
本実施形態の複合機において、コピー制御部１０、ファクシミリ制御部１１、プリンタ制御部１２は任意で組み合わせ拡張できる構成となっており、本実施形態は最大拡張時の場合を図示して説明している。
また、本実施形態では図示していないが機能拡張制御部中に画像処理部、画像メモリを備えており、コピー画像処理や、ファクシミリ送受信・プリンタ受信データの蓄積・展開などの処理を行う。
【０００８】
図２は図１に示すメイン制御部のブロック図である。
図２において、ＣＰＵ２１は本実施形態のデジタル複合機の制御を行う。ＲＯＭ２２はデジタル複合機全体を制御するプログラム及び制御に必要なデータが格納されている。
ＲＡＭ２３はＣＰＵ２１が制御上データや状態を一時的に記憶するために使用される。不揮発性メモリ（ＲＡＭ）２４はメイン制御部１３の電源がＯＦＦしてもデータを保持することができる。本実施形態ではバッテリーバックアップされたＲＡＭを使用している。不揮発メモリ２４は拡張機能の構成データなどの記憶に用いる。
リアルタイムクロック２５は時間を計測するのに使われる。ＣＰＵ２１は時間の計測によって一定時間操作が無い場合に省電力状態に移行するタイミングを計測したり、後述する所定時間間隔で回線、ネットワークの接続有無を確認するタイミングの計測に使われる。
Ｉ／Ｏポート２６を介してＣＰＵ２１は制御対象の駆動やセンサ信号の検知を行い、スキャナ部２、プロッタ部３の制御を行う。さらに、ＯＦＦ信号（０〜３）の出力及び復帰要因信号（１〜３）の検知を行う。
ＵＡＲＴ（シリアル通信部）２７は操作部１との間で表示／キー検知のためにコマンド／ステータスのやり取りを行う。また、コピー制御部１０、ファクシミリ制御部１１及びプリンタ制御部１２の各拡張機能制御部とコマンド／ステータスの情報交換を行い複合機全体の制御を行う。
【０００９】
次に、本実施形態のデジタル複合機の動作を説明する。
メイン制御部１３は省電力状態でない時に公衆回線検知部５とＬＡＮ検知部７からの情報で公衆回線及びローカルネットワークに正常接続されているかどうか確認し、その情報をＲＡＭ２３に記憶する。節電キー１−１の押下がない場合や、一定時間操作されない場合などの条件で機器は省電力処理に移行する。
図３は本実施形態のデジタル複合機における第１の省電力処理を示すフローチャートである。省電力時の動作は、はじめに、省エネ状態を示すフラグ：省エネフラグをＯＮ状態しセットする（Ｓ１）。続いてＯＦＦ信号０を制御し第１遮断器１４ａを遮断して省エネ状態になる（Ｓ２）。
通電している復帰要因検知部から復帰信号が送られてくるか、ユーザーが節電キー１−１を押下するかの検知を続ける（Ｓ３〜Ｓ６）。復帰要因が検知されればＯＦＦ信号０〜３を制御して第１〜第４遮断器をＯＮし（Ｓ７）、さらに省エネフラグをＯＦＦにして（Ｓ８）、機器を通常状態に復帰させる。
図４は本実施形態のデジタル複合機における割り込み処理を示すフローチャートである。省エネフラグがＯＦＦ、即ち省エネ状態でない場合は（Ｓ１でＮ）、処理を行うことなくメインルーチンに復帰する。
省エネフラグがＯＮ、即ち省エネ状態では（Ｓ１でＹ）、まずＯＦＦ信号１をＯＮにし（ＯＦＦ信号を停止し、第２遮断機１４ｂをＯＮ、即ちスイッチを閉成）ファクシミリ受信検知部４に電力を供給する（Ｓ２）。回線に正常接続されていない場合は（Ｓ３でＮ）、ＯＦＦ信号１をＯＦＦとし（ＯＦＦ信号を出力し、第２遮断機１４ｂをＯＦＦ、即ちスイッチを開成）（Ｓ４）、ファクシミリ受信検知部４への電力を遮断する。
回線が正常接続されている場合は（Ｓ３でＹ）、ＯＦＦ信号２をＯＮとし（Ｓ５）、プリント要求検知部６に電力供給する。ローカルネットワークに正常接続されていない場合は（Ｓ６でＮ）、ＯＦＦ信号２をＯＦＦとし（Ｓ７）、プリント要求検知部６への電力を遮断する。
以上説明した処理を行うと、回線もしくはネットワークが接続している場合、復帰要因検知部に電源が供給される状態が続き、接続が切れた時は復帰要因検知部の電源も遮断する制御が可能となる。このような省電力処理を行うことで、省エネ状態時に所定の間隔で回線及びネットワークの接続状態を監視し、接続の有無に応じた省電力が可能となる。
【００１０】
図５は本発明のデジタル複合機における第２の省電力処理を示すフローチャートである。省電力時の動作は、はじめにＯＦＦ信号（０〜３）を制御し、第１〜第３遮断器１４ａ〜１４ｃで電源を遮断する（Ｓ１）。続いて、現在の時刻を取得し（Ｓ２）、現在の時刻と不揮発性ＲＡＭ２４で記憶している復帰要因検知部の電力供給時間帯を比較する。
ファクシミリ受信検知部４の電力供給時間帯で（Ｓ３でＹ）省電力前の情報により公衆回線に正常接続されている場合は（Ｓ４でＹ）、ＯＦＦ信号１をＯＮとし、ファクシミリ受信検知部４に電力を供給する。回線に正常接続されていない場合はＯＦＦ信号１がＯＦＦのままでファクシミリ受信検知部４に電力を供給しない。
同様にプリント要求検知部６の電力供給時間帯で（Ｓ６でＹ）、ローカルネットワークに正常接続されていた場合は（Ｓ７でＹ）、ＯＦＦ信号２を制御してプリント要求検知部６に電力供給を行う（Ｓ８）。正常接続されていない場合は、プリント要求検知部６は電力が遮断されたままとなる。
後は通電している復帰要因検知部からの復帰信号が送られてくるか、ユーザーが節電キー１−１を押下するかの検知を続けることとなる（Ｓ９〜Ｓ１２）。復帰要因が検知されればＯＦＦ信号０〜３を制御して第１〜第４遮断器１４ａ〜１４ｄをＯＮすることで機器を通常状態に復帰させる。
上記説明した省電力処理を行うことで、所定の時間帯で回線及びネットワークの接続状態に応じた省電力が可能となる。さらに、図６に示すように操作部１からオペレータが適切な電力供給時間帯を入力することで、業務状況に応じた省電力が可能となる。
【図面の簡単な説明】
【００１１】
【図１】本発明の実施形態に係るデジタル複合機のブロック図である。
【図２】図１に示すメイン制御部のブロック図である。
【図３】本発明のデジタル複合機における第１の省電力処理を示すフローチャートである。
【図４】本発明のデジタル複合機における割り込み処理の例を示すフローチャートである。
【図５】本発明のデジタル複合機における第２の省電力処理を示すフローチャートである。
【図６】時間設定画面例を示す図である。
【符号の説明】
【００１２】
１  操作部、２  スキャナ部、３  プロッタ部、４  ファクシミリ受信検知部（復帰要因検知部）、５  公衆回線検知部、６  プリント要求検知部（復帰要因検知部）、７  ＬＡＮ検知部、８  圧板開閉検知部（復帰要因検知部）、１０  コピー制御部（拡張機能制御部）、１１  ファクシミリ制御部（拡張機能制御部）、１２  プリンタ制御部（拡張機能制御部）、１３  メイン制御部
【図１】
2007036956.tif 000003
【図２】
2007036956.tif 000004
【図３】
2007036956.tif 000005
【図４】
2007036956.tif 000006
【図５】
2007036956.tif 000007
【図６】
2007036956.tif 000008